(57)【要約】【課題】光ファイバの良否を直観的に判断することができるとともに、光ファイバの検査結果の視認性に優れ、かつ、メタル線の断線の有無のみならず、メタル線のショートおよび混線の有無も検査することができる光メタル複合ケーブル検査装置を提供する。【解決手段】検査・表示ユニット１２に設けたＬＥＤ配列部５０の赤色ＬＥＤ４４、黄色ＬＥＤ４６および青色ＬＥＤ４８の点灯により光メタル複合ケーブル１４の光ファイバの良否を表示するとともに、上記ＬＥＤの近傍にそのＬＥＤに対応する光減衰量を数字で表示する。また、接続ユニット１０の複数のメタル線の接続線に互いに異なる大きさの抵抗を設け、この接続線により接続したメタル線に電流を流し、接続したメタル線間の抵抗値を測定するとともに、この抵抗値に基づいてメタル線の断線、ショートおよび混線の有無を判定する。【選択図】図１
2009236566.tif 000002
【特許請求の範囲】
【請求項１】
複数の光ファイバを有する光ケーブルの一端に接続され、前記光ケーブルの光ファイバ同士を接続する接続ユニットと、
前記光ケーブルの他端に接続され、前記接続ユニットにより接続した光ファイバの一端に発光素子から光を入射させ、光ファイバの他端から出射した光を受光素子で受光することにより、接続した光ファイバを流れる光の減衰量を検査するとともに、光減衰量の検査結果を表示する検査・表示ユニットとを有する光ケーブル検査装置であって、
前記検査・表示ユニットは、複数の赤色ＬＥＤ、複数の黄色ＬＥＤおよび複数の青色または緑色ＬＥＤがこの順で直列に配置されたＬＥＤ配列部を有し、前記光減衰量が第１の所定値を超えたときには、光減衰量の程度に応じて全ＬＥＤが点灯しないか、赤色ＬＥＤの１つまたは２つ以上が点灯し、前記光減衰量が第１の所定値以下で第２の所定値以上のときには、全赤色ＬＥＤおよび光減衰量の程度に応じて黄色ＬＥＤの１つまたは２つ以上が点灯し、光減衰量が第２の所定値未満のときには、全赤色ＬＥＤ、全黄色ＬＥＤおよび光減衰量の程度に応じて青色または緑色ＬＥＤの１つまたは２つ以上が点灯するとともに、赤色ＬＥＤの１つ以上、黄色ＬＥＤの１つ以上および青色または緑色ＬＥＤの１つ以上の近傍には、そのＬＥＤに対応する光減衰量が数字で表示されていることを特徴とする光ケーブル検査装置。
【請求項２】
前記受光素子はフォトダイオードであり、前記各ＬＥＤは前記フォトダイオードによって得られる電力により発光するものであり、前記電力を各ＬＥＤに送るための並列配線は、前記ＬＥＤ配列部の一端に存在する赤色ＬＥＤに接続された配線から他端に存在する青色または緑色ＬＥＤに接続された配線にかけて順次抵抗が大きくなることを特徴とする請求項１に記載の光ケーブル検査装置。
【請求項３】
複数のメタル線を有するメタルケーブルの一端に接続され、前記メタルケーブルのメタル線同士を接続する接続ユニットと、
前記メタルケーブルの他端に接続され、前記接続ユニットにより接続したメタル線に電流を流し、接続したメタル線間の抵抗値を測定するとともに、前記抵抗値に基づいてメタル線の断線、ショートおよび混線の有無を検査する検査・表示ユニットとをメタルケーブル検査装置であって、
前記接続ユニットは、前記メタルケーブルのメタル線同士を接続するための複数の並列に配置された接続線を有するとともに、前記複数の接続線は互いに異なる大きさの抵抗をもつことを特徴とするメタルケーブル検査装置。
【請求項４】
前記メタル線の１つとしてアース線を有し、前記アース線と他のメタル線との間の抵抗値を測定することを特徴とする請求項３に記載のメタルケーブル検査装置。
【請求項５】
前記検査・表示ユニットは、複数のＬＥＤが配置されたＬＥＤ配置部を有し、前記複数のＬＥＤの点灯および／または点滅により前記メタル線の良、断線、ショートおよび混線を表示することを特徴とする請求項３または４に記載のメタルケーブル検査装置。
【請求項６】
複数の光ファイバおよび複数のメタル線を有する光メタル複合ケーブルの一端に接続され、前記光メタル複合ケーブルの光ファイバ同士およびメタル線同士を接続する接続ユニットと、
前記光メタル複合ケーブルの他端に接続され、前記接続ユニットにより接続した光ファイバの一端に発光素子から光を入射させ、光ファイバの他端から出射した光を受光素子で受光することにより、接続した光ファイバを流れる光の減衰量を検査するとともに、光減衰量の検査結果を表示し、かつ、前記接続ユニットにより接続したメタル線に電流を流し、接続したメタル線間の抵抗値を測定するとともに、前記抵抗値に基づいてメタル線の断線、ショートおよび混線の有無を検査する検査・表示ユニットとを有する光メタル複合ケーブル検査装置であって、
前記接続ユニットは、前記光メタル複合ケーブルのメタル線同士を接続するための複数の並列に配置された接続線を有するとともに、前記複数の接続線は互いに異なる大きさの抵抗をもち、
前記検査・表示ユニットは、複数の赤色ＬＥＤ、複数の黄色ＬＥＤおよび複数の青色または緑色ＬＥＤがこの順で直列に配置されたＬＥＤ配列部を有し、前記光減衰量が第１の所定値を超えたときには、光減衰量の程度に応じて全ＬＥＤが点灯しないか、赤色ＬＥＤの１つまたは２つ以上が点灯し、前記光減衰量が第１の所定値以下で第２の所定値以上のときには、全赤色ＬＥＤおよび光減衰量の程度に応じて黄色ＬＥＤの１つまたは２つ以上が点灯し、光減衰量が第２の所定値未満のときには、全赤色ＬＥＤ、全黄色ＬＥＤおよび光減衰量の程度に応じて青色または緑色ＬＥＤの１つまたは２つ以上が点灯するとともに、赤色ＬＥＤの１つ以上、黄色ＬＥＤの１つ以上および青色または緑色ＬＥＤの１つ以上の近傍には、そのＬＥＤに対応する光減衰量が数字で表示されていることを特徴とする光メタル複合ケーブル検査装置。
【請求項７】
前記受光素子はフォトダイオードであり、前記各ＬＥＤは前記フォトダイオードによって得られる電力により発光するものであり、前記電力を各ＬＥＤに送るための並列配線は、前記ＬＥＤ配列部の一端に存在する赤色ＬＥＤに接続された配線から他端に存在する青色または緑色ＬＥＤに接続された配線にかけて順次抵抗が大きくなることを特徴とする請求項６に記載の光メタル複合ケーブル検査装置。
【請求項８】
前記メタル線の１つとしてアース線を有し、前記アース線と他のメタル線との間の抵抗値を測定することを特徴とする請求項６または７に記載の光メタル複合ケーブル検査装置。
【請求項９】
前記検査・表示ユニットは、複数のＬＥＤが配置されたＬＥＤ配置部を有し、前記複数のＬＥＤの点灯および／または点滅により前記メタル線の良、断線、ショートおよび混線を表示することを特徴とする請求項６〜８のいずれか１項に記載の光メタル複合ケーブル検査装置。
【発明の詳細な説明】
【技術分野】
【０００１】
本発明は、光ケーブル検査装置、メタルケーブル検査装置および光メタル複合ケーブル検査に関する。
【背景技術】
【０００２】
従来、光メタル複合ケーブルの検査装置として、特許文献１のものが提案されている。特許文献１の検査装置は、光ファイバと電気線とを有する光複合ケーブルにおける伝送性能の検出装置において、前記光複合ケーブルの一端のコネクタに接続され、第１光ファイバと、第２光ファイバとを接続する光ループ部と、前記光複合ケーブルの複数の電気線を短絡させる短絡部とから成る第１ユニットと、
前記光複合ケーブルの他端のコネクタに接続され、前記光ループ部により折り返された前記第１光ファイバと前記第２光ファイバの端間の伝送損失を測定する伝送損失測定部と、前記短絡部により折り返された前記電気線の端間の抵抗を測定する抵抗測定部と、測定された抵抗値から電気線の断線の有無を判定する断線検出部と、測定された伝送損失と断線検出部による断線結果を表示する表示部とからなる第２ユニットとからなる光複合ケーブル伝送性能検出装置である（請求項１）。
【０００３】
【特許文献１】特開２００６−２７０６０６号公報
【発明の開示】
【発明が解決しようとする課題】
【０００４】
しかし、特許文献１の光複合ケーブル伝送性能検出装置は、光の伝送損失を数値で表示するものであるため、光ファイバの良否を直観的に判断しにくいとともに、光ファイバの検査結果の視認性が悪いという問題があった。また、特許文献１の光複合ケーブル伝送性能検出装置は、メタル線の断線の有無は検査することができるが、メタル線のショートおよび混線の有無は検査することができないという問題があった。
【０００５】
本発明は、上述した事情に鑑みてなされたもので、光ファイバの良否を直観的に判断することができるとともに、光ファイバの検査結果の視認性に優れた光ケーブル検査装置、メタル線の断線の有無のみならず、メタル線のショートおよび混線の有無も検査することができるメタルケーブル検査装置、および、光ファイバの良否を直観的に判断することができるとともに、光ファイバの検査結果の視認性に優れ、かつ、メタル線の断線の有無のみならず、メタル線のショートおよび混線の有無も検査することができる光メタル複合ケーブル検査装置を提供することを目的とする。
【課題を解決するための手段】
【０００６】
本発明は、前記目的を達成するため、下記（１）〜（９）の光ケーブル検査装置、メタルケーブル検査装置および光メタル複合ケーブル検査装置を提供する。
【０００７】
（１）複数の光ファイバを有する光ケーブルの一端に接続され、前記光ケーブルの光ファイバ同士を接続する接続ユニットと、
前記光ケーブルの他端に接続され、前記接続ユニットにより接続した光ファイバの一端に発光素子から光を入射させ、光ファイバの他端から出射した光を受光素子で受光することにより、接続した光ファイバを流れる光の減衰量を検査するとともに、光減衰量の検査結果を表示する検査・表示ユニットとを有する光ケーブル検査装置であって、
前記検査・表示ユニットは、複数の赤色ＬＥＤ、複数の黄色ＬＥＤおよび複数の青色または緑色ＬＥＤがこの順で直列に配置されたＬＥＤ配列部を有し、前記光減衰量が第１の所定値を超えたときには、光減衰量の程度に応じて全ＬＥＤが点灯しないか、赤色ＬＥＤの１つまたは２つ以上が点灯し、前記光減衰量が第１の所定値以下で第２の所定値以上のときには、全赤色ＬＥＤおよび光減衰量の程度に応じて黄色ＬＥＤの１つまたは２つ以上が点灯し、光減衰量が第２の所定値未満のときには、全赤色ＬＥＤ、全黄色ＬＥＤおよび光減衰量の程度に応じて青色または緑色ＬＥＤの１つまたは２つ以上が点灯するとともに、赤色ＬＥＤの１つ以上、黄色ＬＥＤの１つ以上および青色または緑色ＬＥＤの１つ以上の近傍には、そのＬＥＤに対応する光減衰量が数字で表示されていることを特徴とする光ケーブル検査装置。
【０００８】
（２）前記受光素子はフォトダイオードであり、前記各ＬＥＤは前記フォトダイオードによって得られる電力により発光するものであり、前記電力を各ＬＥＤに送るための並列配線は、前記ＬＥＤ配列部の一端に存在する赤色ＬＥＤに接続された配線から他端に存在する青色または緑色ＬＥＤに接続された配線にかけて順次抵抗が大きくなることを特徴とする（１）の光ケーブル検査装置。
【０００９】
（３）複数のメタル線を有するメタルケーブルの一端に接続され、前記メタルケーブルのメタル線同士を接続する接続ユニットと、
前記メタルケーブルの他端に接続され、前記接続ユニットにより接続したメタル線に電流を流し、接続したメタル線間の抵抗値を測定するとともに、前記抵抗値に基づいてメタル線の断線、ショートおよび混線の有無を検査する検査・表示ユニットとをメタルケーブル検査装置であって、
前記接続ユニットは、前記メタルケーブルのメタル線同士を接続するための複数の並列に配置された接続線を有するとともに、前記複数の接続線は互いに異なる大きさの抵抗をもつことを特徴とするメタルケーブル検査装置。
【００１０】
（４）前記メタル線の１つとしてアース線を有し、前記アース線と他のメタル線との間の抵抗値を測定することを特徴とする（３）のメタルケーブル検査装置。
【００１１】
（５）前記検査・表示ユニットは、複数のＬＥＤが配置されたＬＥＤ配置部を有し、前記複数のＬＥＤの点灯および／または点滅により前記メタル線の良、断線、ショートおよび混線を表示することを特徴とする（３）または（４）のメタルケーブル検査装置。
【００１２】
（６）複数の光ファイバおよび複数のメタル線を有する光メタル複合ケーブルの一端に接続され、前記光メタル複合ケーブルの光ファイバ同士およびメタル線同士を接続する接続ユニットと、
前記光メタル複合ケーブルの他端に接続され、前記接続ユニットにより接続した光ファイバの一端に発光素子から光を入射させ、光ファイバの他端から出射した光を受光素子で受光することにより、接続した光ファイバを流れる光の減衰量を検査するとともに、光減衰量の検査結果を表示し、かつ、前記接続ユニットにより接続したメタル線に電流を流し、接続したメタル線間の抵抗値を測定するとともに、前記抵抗値に基づいてメタル線の断線、ショートおよび混線の有無を検査する検査・表示ユニットとを有する光メタル複合ケーブル検査装置であって、
前記接続ユニットは、前記光メタル複合ケーブルのメタル線同士を接続するための複数の並列に配置された接続線を有するとともに、前記複数の接続線は互いに異なる大きさの抵抗をもち、
前記検査・表示ユニットは、複数の赤色ＬＥＤ、複数の黄色ＬＥＤおよび複数の青色または緑色ＬＥＤがこの順で直列に配置されたＬＥＤ配列部を有し、前記光減衰量が第１の所定値を超えたときには、光減衰量の程度に応じて全ＬＥＤが点灯しないか、赤色ＬＥＤの１つまたは２つ以上が点灯し、前記光減衰量が第１の所定値以下で第２の所定値以上のときには、全赤色ＬＥＤおよび光減衰量の程度に応じて黄色ＬＥＤの１つまたは２つ以上が点灯し、光減衰量が第２の所定値未満のときには、全赤色ＬＥＤ、全黄色ＬＥＤおよび光減衰量の程度に応じて青色または緑色ＬＥＤの１つまたは２つ以上が点灯するとともに、赤色ＬＥＤの１つ以上、黄色ＬＥＤの１つ以上および青色または緑色ＬＥＤの１つ以上の近傍には、そのＬＥＤに対応する光減衰量が数字で表示されていることを特徴とする光メタル複合ケーブル検査装置。
【００１３】
（７）前記受光素子はフォトダイオードであり、前記各ＬＥＤは前記フォトダイオードによって得られる電力により発光するものであり、前記電力を各ＬＥＤに送るための並列配線は、前記ＬＥＤ配列部の一端に存在する赤色ＬＥＤに接続された配線から他端に存在する青色または緑色ＬＥＤに接続された配線にかけて順次抵抗が大きくなることを特徴とする請求項６に記載の光メタル複合ケーブル検査装置。
【００１４】
（８）前記メタル線の１つとしてアース線を有し、前記アース線と他のメタル線との間の抵抗値を測定することを特徴とする請求項６または７に記載の光メタル複合ケーブル検査装置。
【００１５】
（９）前記検査・表示ユニットは、複数のＬＥＤが配置されたＬＥＤ配置部を有し、前記複数のＬＥＤの点灯および／または点滅により前記メタル線の良、断線、ショートおよび混線を表示することを特徴とする請求項６〜８のいずれか１項に記載の光メタル複合ケーブル検査装置。
【００１６】
本発明の光ケーブル検査装置および光メタル複合ケーブル検査装置は、赤色ＬＥＤ、黄色ＬＥＤおよび青色または緑色ＬＥＤの点灯により光ファイバの良否を表示するので、光ファイバの良否を直観的に判断することができるとともに、光ファイバの検査結果の視認性に優れており、しかも、赤色ＬＥＤ、黄色ＬＥＤおよび青色または緑色ＬＥＤの近傍にそのＬＥＤに対応する光減衰量が数字で表示されているので、光減衰量の数値も知ることができる。
【００１７】
本発明のメタルケーブル検査装置および光メタル複合ケーブル検査装置は、接続ユニットの複数の接続線が互いに異なる大きさの抵抗を有するので、上記接続線により接続したメタル線に電流を流し、接続したメタル線間の抵抗値を測定することにより、この抵抗値に基づいてメタル線の断線、ショートおよび混線の有無を判定することができる。
【発明の効果】
【００１８】
本発明の光ケーブル検査装置は、光ファイバの良否を直観的に判断することができるとともに、光ファイバの検査結果の視認性に優れている。本発明のメタルケーブル検査装置は、メタル線の断線の有無のみならず、メタル線のショートおよび混線の有無も検査することができる。本発明の光メタル複合ケーブル検査装置は、光ファイバの良否を直観的に判断することができるとともに、光ファイバの検査結果の視認性に優れ、かつ、メタル線の断線の有無のみならず、メタル線のショートおよび混線の有無も検査することができる。
【発明を実施するための最良の形態】
【００１９】
以下、本発明の実施の形態を図面を参照して説明するが、本発明は下記例に限定されるものではない。本実施形態は、２本の光ファイバ、２本の制御線（メタル線）、２本の電源線（メタル線）および１本のアース線（メタル線）を有し、両端にコネクタが取り付けられたテレビカメラ用光メタル複合ケーブルの検査に用いられる光メタル複合ケーブル検査装置である。上記光メタル複合ケーブルは、光ファイバによりテレビカメラの画像信号や音声信号を伝送し、制御線によりカメラの機構を制御する制御信号を伝送し、電源線によりカメラに対する電力を供給するものである。ただし、光メタル複合ケーブルの構造は上記構造に限定されるものではない。
【００２０】
図１は本実施形態の光メタル複合ケーブル検査装置（以下、「検査装置」と略す）を示す概略正面図である。本例の検査装置は、接続ユニット１０と、検査・表示ユニット１２とを有する。なお、検査・表示ユニット１２は、電池により作動するようになっている。
【００２１】
接続ユニット１０は、光メタル複合ケーブル（以下、「ケーブル」と略す）１４の一端に接続され、図２および図３に示すように、ケーブル１４の光ファイバ１６、１８同士およびメタル線２０、２２、２４、２６、２８同士を接続するものである。本例では、メタル線２０はアース線、メタル線２２、２４は電源線、メタル線２６、２８は制御線である。図２において、１１は接続ユニット１０内に配置され、光ファイバ１６、１８を接続する接続用光ファイバを示す。
【００２２】
また、接続ユニット１０は、図３に示すように、ケーブル１４のメタル線２０、２２、２４、２６、２８同士を接続するための複数の並列に配置された接続線３４、３６、３８、４０、４２を有するとともに、これら複数の接続線３４、３６、３８、４０、４２は互いに異なる大きさの抵抗をもつように構成されている。
【００２３】
検査・表示ユニット１２は、ケーブル１４の他端に接続され、接続ユニット１０により接続した光ファイバ１６の一端に発光素子（本例ではレーザーダイオード）３０から光を入射させ、光ファイバ１８の他端から出射した光を受光素子（本例ではレーザーダイオード）３２で受光することにより、接続した光ファイバ１６、１８を流れる光の減衰量を検査するとともに、光減衰量の検査結果を表示する。
【００２４】
また、検査・表示ユニット１２は、接続ユニットにより接続したメタル線２０、２２、２４、２６、２８に電流を流し、接続したメタル線２０、２２、２４、２６、２８間の抵抗値を測定するとともに、この抵抗値に基づいてメタル線の断線、ショートおよび混線の有無を検査する。本例では、アース線２０と電源線２２との間の抵抗、アース線２０と電源線２４との間の抵抗、アース線２０と制御線２６との間の抵抗、アース線２０と制御線２８との間の抵抗をそれぞれ測定している。
【００２５】
検査・表示ユニット１２の正面には、複数（本例３個）の赤色ＬＥＤ４４、複数（本例３個）の黄色ＬＥＤ４６および複数（本例４個）の青色ＬＥＤ４８がこの順で直列に配置されたＬＥＤ配列部５０が設けられている。そして、上述した光減衰量が第１の所定値を超えたときには、光減衰量の程度に応じて全ＬＥＤが点灯しないか、赤色ＬＥＤ４４の１つまたは２つ以上が点灯する。光減衰量が第１の所定値以下で第２の所定値以上のときには、全赤色ＬＥＤ４４および光減衰量の程度に応じて黄色ＬＥＤ１６の１つまたは２つ以上が点灯する。光減衰量が第２の所定値未満のときには、全赤色ＬＥＤ４４、全黄色ＬＥＤ４６および光減衰量の程度に応じて青色ＬＥＤ４８の１つまたは２つ以上が点灯する。また、赤色ＬＥＤの１つ以上、黄色ＬＥＤの１つ以上および青色ＬＥＤの１つ以上の近傍には、そのＬＥＤに対応する光減衰量が数字（−１８ｄｂ、−１２ｄｂ、−８ｄｂ、−４ｄｂ、０ｄｂ）で表示されている。なお、上記第１の所定値および第２の所定値は適宜設定することができる。
【００２６】
検査・表示ユニット１２においては、値Ｖ１に調整された電圧によりレーザーダイオード３０から光ファイバ１６に光を入射させると、フォトダイオード３２によって得られる値Ｖ２の電圧によってＬＥＤ配列部５０のＬＥＤが発光するようになっている。また、図４に示すように、上記電圧Ｖ２を各ＬＥＤに印加するための並列配線は、ＬＥＤ配列部５０の一端に存在する赤色ＬＥＤ４４に接続された配線５２から、他端に存在する青色ＬＥＤ４８に接続された配線５４にかけて順次抵抗が大きくなるように構成されている。
【００２７】
したがって、光ファイバ１６、１８が不良品で光減衰量が大きい場合は、電圧Ｖ２が小さくなるので、抵抗の大きい配線に接続されたＬＥＤは点灯せず、そのため全ＬＥＤが点灯しないか、赤色ＬＥＤ４４の１つまたは２つ以上のみが点灯する。光ファイバ１６、１８が要注意品で光減衰量が中程度の場合は、電圧Ｖ２は中程度となるので、抵抗が中程度以上の配線に接続されたＬＥＤは点灯せず、そのため全赤色ＬＥＤ４４および光減衰量の程度に応じて黄色ＬＥＤ１６の１つまたは２つ以上が点灯する。光ファイバ１６、１８が良品で光減衰量が小さい場合は、電圧Ｖ２が大きくなるので、抵抗の大きい配線に接続されたＬＥＤも点灯し、そのため全赤色ＬＥＤ４４、全黄色ＬＥＤ４６および光減衰量の程度に応じて青色ＬＥＤ４８の１つまたは２つ以上が点灯する。
【００２８】
また、検査・表示ユニット１２の正面には、５列３行の表状のＬＥＤ配置部５６が配置されている。そして、「ＧＯＯＤ」の行の各列には４個の緑色ＬＥＤ５８が配置され、「ＢＡＤ」の行の各列には４個の赤色ＬＥＤ６０が配置されている。ＬＥＤ配置部５６の最下行には、メタル線２２、２４、２６、２８にそれぞれ対応する数字「１」、「２」、「３」、「４」が表示されている。
【００２９】
前述のように、接続ユニット１０の接続線３４、３６、３８、４０、４２は互いに異なる大きさの抵抗をもち、検査・表示ユニット１２は、アース線２０と電源線２２との間の抵抗Ａ、アース線２０と電源線２４との間の抵抗Ｂ、アース線２０と制御線２６との間の抵抗Ｃ、アース線２０と制御線２８との間の抵抗Ｄをそれぞれ測定している。
【００３０】
したがって、上記抵抗Ａ〜Ｄの全てが無限大であるとアース線２０の断線、抵抗Ａが無限大であると電源線２２の断線、抵抗Ｂが無限大であると電源線２４の断線、抵抗Ｃが無限大であると制御線２６の断線、抵抗Ｄが無限大であると制御線２８の断線であると判断することができる。また、測定により得られた抵抗値が本来得られるべき抵抗値と異なる場合には、その抵抗値に応じてメタル線のショート（メタル線同士が短絡していること）あるいはメタル線の混線（メタル線が本来接続されるべき端子以外の端子に接続されていること）が存在すると判断することができる。
【００３１】
そして、メタル線２２、２４、２６、２８の全てに異常がない場合は、ＬＥＤ配置部５６の全ての緑色ＬＥＤ５８が点灯し、赤色ＬＥＤ６０は点灯しない。また、メタル線２２、２４、２６、２８の１つ以上に異常がある場合は、ＬＥＤ配置部５６の対応する赤色ＬＥＤ６０の点灯や点滅によりメタル線の断線、ショートまたは混線を表示する。この場合、断線、ショート、混線の識別は、赤色ＬＥＤ６０の点滅あるいは点灯の態様を変えることにより行う。
【００３２】
なお、本発明の光メタル複合ケーブル検査装置は上記実施形態に限定されるものではない。例えば、光ファイバの検査結果を表示するＬＥＤ配列部の赤色ＬＥＤ、黄色ＬＥＤ、青色ＬＥＤの個数は適宜設定することができる。メタル線の検査結果を表示するＬＥＤ配列部の構成も適宜設定することができる。また、前記実施形態の光メタル複合ケーブル検査装置からメタル線の検査機能を省略することにより光ケーブル検査装置としたり、前記実施形態の光メタル複合ケーブル検査装置から光ファイバの検査機能を省略することによりメタルケーブル検査装置としたりすることができる。
【図面の簡単な説明】
【００３３】
【図１】本発明の光メタル複合ケーブル検査装置の一実施形態を示す概略正面図である。
【図２】光メタル複合ケーブルの一端に接続ユニット、他端に検査・表示ユニットを接続した状態を示す模式図である。
【図３】光メタル複合ケーブルの一端に接続ユニット、他端に検査・表示ユニットを接続した状態を示す模式図である。
【図４】ＬＥＤ配列部のＬＥＤを点灯させるための回路を示す説明図である。
【符号の説明】
【００３４】
１０  接続ユニット
１２  検査・表示ユニット
１４  光メタル複合ケーブル
２０、２２、２４、２６、２８  メタル線
３０  発光素子
３２  受光素子
３４、３６、３８、４０、４２  接続線
４４  赤色ＬＥＤ
４６  黄色ＬＥＤ
４８  青色ＬＥＤ
５０  ＬＥＤ配列部
５２  配線
５４  配線
５６  ＬＥＤ配置部
５８  緑色ＬＥＤ
６０  赤色ＬＥＤ
【図１】
2009236566.tif 000003
【図２】
2009236566.tif 000004
【図３】
2009236566.tif 000005
【図４】
2009236566.tif 000006
【手続補正書】
【提出日】平成20年4月22日(2008.4.22)
【手続補正３】
【補正対象書類名】明細書
【補正対象項目名】０００１
【補正方法】変更
【補正の内容】
【０００１】
本発明は、光ケーブル検査装置、メタルケーブル検査装置および光メタル複合ケーブル検査装置に関する。